(57)【要約】【課題】ベルト体の中での張力担持体の位置決めが改善されるエレベータベルトを提供する。【解決手段】エレベータ装置用エレベータベルト（１２）は、引張力をエレベータベルトの長手方向に伝えるための幾つかの張力担持体（１４．１、４．２）を備えた張力担持体構成物（１４）が配置されたベルト体（１５）を備える。これらの張力担持体を相互から離隔する外形体（１６）が、張力担持体構成物（１４）の隣接する張力担持体（１４．１、１４．２）同士の間に配置される。【選択図】図１
2008044793.tif 000002
【特許請求の範囲】
【請求項１】
エレベータ装置用のエレベータベルト（１２）において、引張力をエレベータベルトの長手方向に伝える、ストランドまたはケーブルの形態の幾つかの張力担持体（１４．１、１４．２）を備えた張力担持体構成物（１４）が配置されたベルト体（１５）を備えたエレベータベルト（１２）であって、外形体（１６）が張力担持体構成物（１４）の隣接する張力担持体（１４．１、１４．２）の間に配置され、これらの張力担持体を相互から離隔させることを特徴とする、エレベータベルト。
【請求項２】
外形体（１６）がそれぞれ、張力担持体構成物（１４）の幾つかの、好ましくは全ての張力担持体の間に配置されることを特徴とする、請求項１に記載のエレベータベルト。
【請求項３】
外形体（１６）が全て、同じ断面形状を有することを特徴とする、請求項２に記載のエレベータベルト。
【請求項４】
少なくとも２つの外形体（１６）が、異なる断面形状を有することを特徴とする、請求項２に記載のエレベータベルト。
【請求項５】
外形体が、実質的に円形、楕円形（１６．１）、Ｔ字形状、二重Ｔ字形状（１６．３）、Ｕ字形状、三角形、または四角形（１６．２）の断面を有することを特徴とする、請求項１から４のいずれか一項に記載のエレベータベルト。
【請求項６】
外形体がエレベータベルト（１２）の長手方向に、詳しくは実質的にエレベータベルトの長さ全体に延びることを特徴とする、請求項１から５のいずれか一項に記載のエレベータベルト。
【請求項７】
外形体（１６）が、熱可塑性合成材料、詳しくはポリアミド（ＰＡ）、ポリエチレン（ＰＥ）、ポリエステル、詳しくはポリエチレンテレフタル酸（ＰＥＴ）および／またはポリカーボネート（ＰＣ）、ポリプロピレン（ＰＰ）、ポリスチロール（ＰＳ）、ポリアセタール（ＰＯＭ）、ポリブチレンテレフタル酸（ＰＢＴ）、ポリエーテルスルホン酸（ＰＥＳ）、ポリフェニレンサルファイド（ＰＦＳ）、ポリテトラフルオロエチレン（ＰＴＦＥ）、ポリエーテルエーテルケトン（ＰＥＥＫ（登録商標））、ポリイミド（ＰＩ）、ポリ塩化ビニル（ＰＶＣ）、あるいは幾つかの熱可塑性合成材料ポリブレンド体から作られることを特徴とする、請求項１から６のいずれか一項に記載のエレベータベルト。
【請求項８】
ベルト体（１５）が、エラストマー、詳しくはポリウレタン（ＰＵ）、ポリクロロプレン（ＣＲ）、天然ゴムまたはエチレン−プロピレン−ジエンゴム（ＥＰＤＭ）から作られることを特徴とする、請求項１から７のいずれか一項に記載のエレベータベルト。
【請求項９】
ベルト体（１５）が、駆動輪（４．１）と係合するための牽引側面にコーティングを有することを特徴とする、請求項１から８のいずれか一項に記載のエレベータベルト。
【請求項１０】
ベルト体（１５）が、駆動輪（４．１）の相補的な溝と係合するための１本または複数の楔状リブ（１５．１）を牽引側面に有することを特徴とする、請求項１から９のいずれか一項に記載のエレベータベルト。
【請求項１１】
ベルト体（１５）が、駆動輪（４．１）と係合するための牽引側面とは反対側の裏側面に、熱可塑性合成材料、好ましくはポリアミド（ＰＡ）、ポリエチレン（ＰＥ）、ポリエステル、詳しくはポリエチレンテレフタル酸（ＰＥＴ）、および／またはポリカーボネート（ＰＣ）、ポリプロピレン（ＰＰ）、ポリブチレンテレフタル酸（ＰＢＴ）、ポリエーテルスルホン酸（ＰＥＳ）、ポリテトラフルオロエチレン（ＰＴＦＥ）、ポリ塩化ビニル（ＰＶＣ）あるいはこのような熱可塑性合成材料のポリブレンド体および／またはファブリックから作られた背面層（１３）を有することを特徴とする、請求項１から１０のいずれか一項に記載のエレベータベルト。
【請求項１２】
張力担持体（１４．１、１４．２）および／または外形体（１６）が背面層（１３）に当接することを特徴とする、請求項１０に記載のエレベータベルト。
【請求項１３】
請求項１から１２のいずれか一項に記載のエレベータベルト（１２）を製造する方法であって、エレベータベルトは押し出し成形方法で製造されることを特徴とし、張力担持体、外形体、および背面層が連続的にかつ正しい位置でベルトの押し出し成形器具に送られ、そこから、熱によって流動化される、形状化ノズルによって形状化される、またベルト体を形成し、供給された張力担持体ならびに外形体を受け取るエラストマーストランドが連続的に押し出し成形される、方法。
【請求項１４】
外形体（１６）および／または背面層（１３）が、ベルト体（１５）を外形体（１６）にまたは背面層（１３）に連結するための接着促進剤でコーティングされることを特徴とする、請求項１３に記載のエレベータベルト（１２）を製造する方法。
【請求項１５】
押し出し成形中に反応する熱接着剤が接着促進剤として使用されることを特徴とする、請求項１４に記載のエレベータベルト（１２）を製造する方法。
【請求項１６】
エレベータケージ（３）と、駆動部（２）と、少なくとも１本の請求項１から１５の一項に記載のエレベータベルト（１２）を備えたベルト構造物とを備える、エレベータ装置。
【発明の詳細な説明】
【技術分野】
【０００１】
本発明は、エレベータ用ベルトを備えたエレベータ装置と、そのようなエレベータ装置用のエレベータベルトと、そのようなエレベータ用ベルトの製造方法とに関する。
【背景技術】
【０００２】
エレベータ装置はエレベータケージと通常は釣合錘とを備えるが、それらはエレベータ昇降路内で、または独立型案内装置に沿って移動可能である。動きを作り出すために、エレベータ装置は、それぞれ少なくとも１つの駆動輪を備えた少なくとも１つの駆動部を有し、これが１本または複数のエレベータベルトによってエレベータケージおよび釣合錘を担持し、かつ／または必要な駆動力をそれらに伝達する。駆動輪はこの場合、それ自体が知られている方法で駆動プーリとして、あるいは同等に直径の小さな輪として、特に駆動部自体の駆動出力軸としても形成することができる。
【０００３】
エレベータケージと釣合錘は、少なくとも１本の同一の支持駆動ベルトによって支持し、駆動することができ、この支持駆動ベルトは少なくとも１つの駆動輪で案内される。代替方法として、エレベータケージが下げられたときに釣合錘が逆に上げられるように、エレベータケージと釣合錘は、偏向ローラで走行する少なくとも１本の支持ベルトによって一緒に結合することもでき、この場合、エレベータケージと釣合錘の駆動は、少なくとも１本の個別の駆動ベルトを介して駆動ユニットによって起こる。一方駆動ベルトでは、エレベータケージまたは釣合錘を動かすために、駆動輪によって引張力がこれらのベルトに伝えられ、純然たる支持ベルトは、駆動輪ではなく単に偏向要素だけで、詳しくは回転可能なもしくは固定された偏向ローラだけで偏向され、エレベータケージまたは釣合錘の重力を受け取る。ほとんどのエレベータ装置で、支持機能および駆動機能は少なくとも１本の同一の支持駆動ベルトによって実行されている。
【０００４】
本発明によるエレベータベルトは上述の機能のそれぞれに使用することができ、つまり支持ベルトとして、駆動ベルトとして、支持駆動ベルトとして、さらに並列配置された幾つかのベルトのうちの１つとして、個別のベルトとして同等に使用することができる。
【０００５】
駆動輪と偏向ローラの区別が必要ない場合、以下ではこれらを総称的にベルト輪と呼ぶ。
【０００６】
請求項１の導入部に記載のポリウレタンのベルト体を備えたエレベータベルトは、ＥＰ１０６０３０５Ｂ１から知られており、これには、引張力をエレベータベルトの長手方向に伝えるための多重に撚り合わされたワイヤからなるケーブルを備えた張力担持体構成物が配置される。
【特許文献１】欧州特許第１０６０３０５Ｂ１号明細書
【発明の開示】
【発明が解決しようとする課題】
【０００７】
このエレベータベルトの製造中に張力担持体がベルト体に埋め込まれるとき、個々の張力担持体は相互に対して変位する可能性がある。これによって張力担持体のベルト横断方向での不都合な配置が生じる可能性がある。例えば２つの張力担持体がベルト体で接近して隣接し、あるいは相互に接触することさえある。張力担持体がベルトプーリ、特に駆動輪のまわりを回るとき、それらによって伝えられる引張力のために、部分的に大きな圧応力をベルト体に掛けることから、接近して隣接する、特に相互に接触した張力担持体に発生する局部的負荷の増大によってベルト体が損傷を受けるリスクが存在する。極端な場合、接近して一緒に並んでいる張力担持体がベルト体を突き抜けてしまうことがある。
【０００８】
ＥＰ１０６０３０５Ｂ１のようにエレベータベルトが輪郭付けされる場合、製造中に張力担持体がベルト体の肉厚の小さな区域に位置決めされるというリスクがさらに存在し、肉厚の小さな区域は張力担持体によって掛けられる圧力およびせん断力をうまく受けられず、偏向する可能性があり、したがってより大きな損傷のリスクに曝される。
【課題を解決するための手段】
【０００９】
したがって本発明の目的は、ベルト体の中での張力担持体の位置決めが改善されるエレベータベルトを提供することである。
【００１０】
この目的を遂行するために、請求項１の導入部に記載のエレベータベルトはその特徴的な特色によって開発される。請求項１３は関連する製造方法を保護し、請求項１６はそのようなエレベータベルトを備えるエレベータ装置を保護する。
【００１１】
本発明によるエレベータ装置用エレベータベルトは、引張力をエレベータベルトの長手方向に伝えるための少なくとも２本の張力担持体が配置された張力担持体構成物が配置されたベルト体を備える。張力担持体構成物の張力担持体は、好ましくはワイヤまたは合成材料ファブリック紐からなる、特に好ましくは鉄鋼ワイヤからなるストランドまたはケーブルを備える。可撓性の外形体が張力担持体構成物の少なくとも２つの隣接する張力担持体の間に配置され、これらの張力担持体を相互に離隔させる。
【００１２】
２つの隣接する張力担持体の間に配置された外形体によって、２つの張力担持体の相互の最小間隔を製造プロセス中に事前設定することができる。したがって、エレベータベルトでの力の不均一な分配と、ベルト体への局部的に大きな負荷とをもたらすことになる、２つの張力担持体の相互に接近し過ぎた位置付き、または相互接触さえも、使用段階となったエレベータベルトで回避することが可能である。
【００１３】
本発明の好ましい実施形態では、２つの隣接する張力担持体は形状を固定するやり方で中間に配設された外形体に当接し、それらの相互に対する相対的な位置が高度な精確さで事前決定される。張力担持体構成物の張力担持体の好ましくは幾つかの間に、特に好ましくは全ての間に少なくとも１つの外形体が配置される。これによって張力担持体構成物全体もベルト体の正しい位置に位置決めすることができる。押し出し成形方法によるベルトの製造で、例えば相互に隣接する張力担持体と外形体が交互に連続的かつ正しい位置でベルト押し出し器具に送られ、この場合押し出し成形されたベルト体に埋め込まれると、外形体は、張力担持体がベルト体の中でのそれらのあるべき位置から大きく逸脱するのを防止する。
【００１４】
張力担持体同士の間に配置された外形体に当接している張力担持体は、それらが機械的にポジティブに相互に対して支持されるという点で、力をエレベータベルトの横断方向に有利に伝えることもできる。張力担持体がこのような横断方向の力を通常の柔らかいベルト体によってしか伝えられない従来のエレベータベルトとは対照的に、本発明によるエレベータベルトでは、ベルト体への横断方向への許容可能な負荷掛けを増大することができるが、これは例えばエレベータベルトがベルト輪の少なくとも１つの横フランジによって案内される使用事例で有利である。さらに、中間に配設された外形体で、隣接する張力担持体を機械的にポジティブに支持することによってエレベータベルトを横断方向に強化することができ、これが、長手方向の負荷を受けているエレベータベルトの変形に対抗し、他方で、エレベータ装置の２つのベルト輪の間でエレベータベルトがその長手方向軸線のまわりで捻れる際、ベルト断面の寸法安定性を保証する。
【００１５】
全ての外形体が同じ横断面を有することが好ましく、これによって張力担持体を等間隔に分配すること、均質なエレベータベルトを形成することが可能になる。さらに、どの外形体がどの張力担持体同士の間に配置されるかを観察する必要がないことから、外形体を製造し、保管するとともに、製造プロセス中にそれらを正しい位置に配置する努力が作り出される。
【００１６】
同時に、異なる数の外形体が異なる張力担持体同士の間に配置されるということから、あるいは例えば四角形の横断面図を有する外形体が使用され、張力担持体同士の間に横位置または高さ位置に埋め込まれるということから、異なる相互の間隔を有する個々の張力担持体に、同じ横断面の外形体を設けることもできる。したがって例えば、ベルト体の楔状リブの区域に張力担持体を小さな間隔で配置し、同時に隣接する楔状リブの隣接する張力担持体同士の間に大きな間隔を確保することが可能である。これによって例えば、隣接する楔状リブ同士の間のベルト体の薄肉区域に張力担持体が配置されるのを回避することができる。
【００１７】
代替方法としてまたはさらに、少なくとも２つの外形体が異なる横断面形状を有することができる。これによって各２つの張力担持体の間に異なる間隔を実現することも可能である。さらに、外形体の横断面形状および／または横断面寸法を、異なる外部輪郭、特に異なる直径を備えた張力担持体に適合させることができ、これによってその機械的にポジティブな相互の支持が高められる。
【００１８】
外形体は実質的に円形、楕円形、Ｔ字形状、二重Ｔ字形状、Ｕ字形状、三角形、および／または四角形の横断面を有することが好ましい。幾何学的に単純な横断面形状、例えば円形、楕円形、三角形、または四角形の横断面は簡単に、例えば押し出し成形によって製造することができる。点対称の横断面の場合、特に円形または正方形の横断面の場合、製造プロセス中に外形体を正しい配向に配置するよう観察する必要がないのは有利である。他の横断面形状、特に二重Ｔ字形状と砂時計のように括れた形状の横断面は、張力担持体のベルト厚みの方向への正しい場所への位置決めをも向上させることができる。
【００１９】
外形体は、エレベータベルトの長手方向に、好ましくは実質的にエレベータベルトの長さ全体にわたって、有利に張力担持体と平行に延びる。したがって外形体は張力担持体の正しい位置での配置を全体的に保証し、さらにエレベータベルトの引張力の一部を伝えて、その長手方向の強度が有利に増大するようになる。
【００２０】
外形体は、熱可塑性合成材料から、詳しくはポリアミド（ＰＡ）、ポリエチレン（ＰＥ）、ポリエステル、詳しくはポリエチレンテレフタル酸（ＰＥＴ）および／またはポリカーボネート（ＰＣ）、ポリプロピレン（ＰＰ）、ポリブチレンテレフタル酸（ＰＢＴ）、ポリエーテルスルホン酸（ＰＥＳ）、ポリテトラフルオロエチレン（ＰＴＦＥ）、ポリ塩化ビニル（ＰＶＣ）、あるいは幾つかの熱可塑性合成材料からなるポリブレンド体から作られることが好ましい。このような外形体は充分な曲げ弾性とともに、製造プロセス中に張力担持体を支持する充分な強度を有し、経済的に製造でき、好ましい形でエレベータベルト全体の重量をほんの僅かに上げ、あるいはそれを下げることさえできる。
【００２１】
エレベータベルトは、牽引側面に、駆動輪の実質的に相補的な楔状溝と係合するようにエレベータベルトの長手方向に配向された１本または複数の楔状リブを有することが特に好ましい。この場合に生じる楔効果のおかげで、同じ長手方向の力に対して、より大きな駆動能力をもたらすことができる。さらにエレベータベルトは楔状リブによってベルト輪で横断方向に有利な形で案内される。
【００２２】
張力担持体のベルト体での正しい位置への配置は、このような楔状リブのベルトで特に有利であるが、それはこれによって張力担持体を楔状リブに対して正しい場所に位置決めすることができるからである。以上で述べた通り、例えばベルト体の隣接する楔状リブ同士の間に位置する溝基部区域に張力担持体が埋め込まれるのを回避することが可能である。
【００２３】
楔状リブは６０°から１２０°のフランク角を有することが好ましく、８０°から１００°の区域が好まれる。楔状リブの２つの側面（フランク）の間に存在する角度をフランク角と呼ぶ。この区域は、一方で駆動輪の楔状溝での楔状リブの詰まり（ｊａｍｍｉｎｇ）、したがってエレベータベルトの横断方向の振動が回避され、他方で楔状溝が設けられたベルト輪でのエレベータベルトの確実な案内が保証される理想的な区域であることが判明している。
【００２４】
エラストマー、好ましくはポリウレタン、ポリクロロプレン、天然ゴム、またはエチレン−プロピレン−ジエンゴムがベルト体用の材料としての候補に挙がる。このような材料のベルト体は、例えば押し出し形成によって簡単に製造でき、駆動輪から張力担持体へと牽引力を導入するのに特に適している。この目的のためにベルト体は、このような駆動輪と係合するための牽引側面に、摩擦係数、したがって駆動能力をさらに増大させるコーティングを有することができる。同時に、例えば楔状リブの楔状効果によって既に充分に大きな駆動能力が保証されている場合は、このコーティングはより小さな摩擦係数を有することもできる。このようにして駆動輪の楔状溝内の楔状リブの詰まりを回避することができる。さらに、このような摩擦を縮小するコーティングは、摩耗耐性を、したがってエレベータベルトの耐用年数を延ばすことができる。
【００２５】
ベルト体は、駆動輪と係合するための牽引側とは反対側にあるベルト体の裏側面で、背面層と連結することができるが、これは、特に熱可塑性合成材料から、詳しくはポリアミド（ＰＡ）、ポリエチレン（ＰＥ）、ポリエステル、詳しくはポリエチレンテレフタル酸（ＰＥＴ）、および／またはポリカーボネート（ＰＣ）、ポリプロピレン（ＰＰ）、ポリブチレンテレフタル酸（ＰＢＴ）、ポリエーテルスルホン酸（ＰＥＳ）、ポリテトラフルオロエチレン（ＰＴＦＥ）、ポリ塩化ビニル（ＰＶＣ）、あるいはこのような熱可塑性合成材料のポリブレンド体（２つ以上の異なる合成材料の混合物）および／またはファブリックから作られる。ファブリックを、これら熱可塑性合成材料のさらなる１つに埋め込むこともでき、あるいはファブリックにこれを飽和させることもできる。
【００２６】
このような背面層は、エレベータベルトの耐摩耗性かつ低摩擦の裏側面を形成することができ、これは、背面層がその裏側面で偏向ローラのまわりを回るときに特に有利であり、例えば横フランジによって偏向ローラで横断方向に案内しなければならない。したがって特に好ましくは、エレベータベルトの裏側面は、偏向ローラとともに最大で０．３５、好ましくは最大で０．３、特に好ましくは最大で０．２５の摩擦係数を有する。この目的のために、背面層は牽引側面から離れたその裏側面に耐摩耗性かつ／または低摩擦のコーティングを追加的に有することができ、これによって本発明によるエレベータベルトの耐用年数または効率性が増大する。
【００２７】
１つまたは複数の中間層をベルト体と背面層との間に配置することも可能である。このような中間層は、例えば楔状リブ構成物と背面層との間の連結を高めることができる。さらにまたは代替方法として、中間層がエレベータベルトをその長手方向および／または横断方向で堅固にし、あるいはエレベータベルトの振動を抑制することができる。これらの目的のために、中間層は特にファブリックを備えることができる。
【００２８】
背面層はその裏側面に１本または複数の楔状リブも有することができる。このようにエレベータベルトは、それがその裏側面で接しているベルト輪のまわりを走行する間にも案内されるということが有利な形で達成される。この場合、背面層の楔状リブの数が楔状リブ構成物の楔状リブの数に対応する必要はない。
【００２９】
エレベータベルトの特に好ましい実施形態では、少なくとも１つの張力担持体または少なくとも１つの外形体が背面層に当接する。このことは、全ての張力担持体および全ての外形体に当てはまることが好ましい。張力担持体および／または外形体の正しい場所への位置決めがこれによって背面層に対して直角の方向にも保証される。
【００３０】
外形体および／または背面層を、ベルト体を外形体または背面層に連結するための接着促進剤でコーティングすることができる。この目的のために、例えば押し出し成形中に反応する熱接着剤が考慮に挙がる。接着促進剤のおかげで、ベルト体と外形体の、またはベルト体と背面層の連結が向上され、これによってエレベータベルトの耐用年数が延びる。さらに、このようにして引張力をよりうまく外形体の中に導入し、これらによって伝えることができる。
【００３１】
本発明によるエレベータベルトの製造は押し出し成形方法によって実施されるのが好ましい。この押し出し成形方法では、張力担持体および外形体、また所与の事例では背面層も、ベルト押し出し成形器具に連続的かつ正しい位置に送られ、そこから、熱によって流動可能にされる、形状化ノズルによって形状化される、またベルト体を形成し、送られた張力担持体、また外形体をも受け取るエラストマーストランドが連続的に押し出し成形される。ベルト体は任意選択で同時に背面層に連結される。外形体は、押し出し成形プロセス中、張力担持体がベルト体の中でのそれらのあるべき位置から大きく逸脱するのを防止する。
【００３２】
さらなる目的、特徴、および利点が、以下に述べる従属請求項と実施形態の実施例から明らかである。
【発明を実施するための最良の形態】
【００３３】
図１は本発明の第１実施形態によるエレベータベルト１２を示す。これは、個々の楔状リブ１５．１を備えたポリウレタンのベルト体１５とベルト体に連結されたポリアミドの背面層とを備える。
【００３４】
楔状リブ１５．１は９０°のフランク角βを有し、駆動輪４．１（図３参照）と係合するためのエレベータベルト１２の牽引側面（図１の上）を形成する。ポリウレタンからなる楔状リブ１５．１と駆動輪４．１との間に与えられる摩擦係数を変化させるために、エレベータベルトにはその牽引側面にコーティング（図示せず）を設けることができる。例えば、駆動輪４．１の実質的に相補的な楔状リブの外形と接触する楔状リブ１５．１のフランクに薄いポリアミド膜でコーティングすることができる。製造を単純化するために、同時に牽引側面全体にこのような膜でコーティングすることもできる。
【００３５】
各楔状リブ１５．１に、２つの張力担持体１４．１、１４．２が、背面層１３に面するリブの基部に相互に平行に配置される。張力担持体１４．１、１４．２は、ここでは詳しく示さないやり方で、撚り合わされた幾つかのストランドからなる鉄鋼ワイヤケーブルとして形成されるが、このストランドはさらに、撚り合わされた鉄鋼の個々の単一ワイヤから形成される。
【００３６】
ポリアミドの外形体１６．１、１６．２はそれぞれ各２本の隣接する張力担持体１４．１、１４．２の間に配置される。この場合、円形の外形担持体１６．１が外側楔状リブの２つの隣接する張力担持体１４．１の間に位置決めされる。二重Ｔ字形状または砂時計形状の外形体１６．３が、より大きな直径を有する中間楔状リブ１５．１の２本の隣接する楔状リブ１４．２の間に配置される。隣接する楔状リブ１５．１の隣接する張力担持体１４．１、１４．２は、実質的に四角形の外形体１６．２によって離隔される。
【００３７】
張力担持体１４．１、１４．２と外形体１６．１、１６．２は形状を固定する形でベルトの横断方向に（図１の左右）相互に当接する。したがって張力担持体１４．１、１４．２が外形体１６．１、１６．２によって相互に上記方向で支持されるということが達成され、その結果エレベータベルト１２全体により大きな横断方向の剛性が生じる。
【００３８】
図示するために、図１による第１実施形態の張力担持体１４．１、１４．２は異なる直径を有し、外形体１６．１、１６．２、および１６．３は異なる横断面形状を有する。この場合、異なる直径を備えた張力担持体は、それらの中心が同じ直線状に位置するように配置される。背面外形１３は、この目的のために変化可能な厚みを備えて実施されることが好ましい。
【００３９】
ここに示さない他の実施形態では、張力担持体および／または外形体はどこでも同じ横断面を有し、これによって製造および在庫管理が行い易くなり、均質なエレベータベルト１２がもたらされる。図２に示すさらなる実施形態では、楔状リブ１５．１の中心にそれぞれ配置された外形体１６．１は全て同じ断面を有する。２つの隣接する楔状リブ１５．１の間にそれぞれ配置された外形体１６．２は全て、同じ横断面を同様に有するが、少なくとも、楔状リブ１５．１の中に配置された外形体１６．１よりも大きな幅を有し、このようにして張力担持体１４．１が、隣接する楔状リブ１５．１同士の間に形成される溝基部１８から充分に離隔されることを保証する。
【００４０】
本発明の一実施形態によるエレベータベルト１２の製造は、押し出し成形方法で実施されることが好ましい。この場合、張力担持体１４．１、１４．２と、外形体１６．１、１６．２、および１６．３と、背面層１３とは連続的にかつ正しい位置でベルト押し出し成形器具に送られ、張力担持体と外形体は、それらの間に中間域が実質的に存在しないように案内される。エラストマーストランドは、熱によって流動化され、形状化ノズルによって形状化され、またベルト体１５を形成し、送られた張力担持体ならびに外形体を受け取り、同時に背面層１３と連結するが、これがベルト押し出し形成器具から連続的に押し出される。外形体は、ここに述べた製造プロセス中に、張力担持体がベルト体の中でのそれらのあるべき位置から大きく横方向に偏向するのを防止する。
【００４１】
背面層１３は、ベルト体１５から離れたその裏側面に（図１の基部に）滑動面を形成し、これが、エレベータベルトの偏向ローラ４．２（図３参照）のまわりでエレベータベルトが偏向する際に偏向ローラの周囲と接触する。ポリアミドのこの滑動面は小さな摩擦係数とともに高度の耐摩耗性を有する。有利には、偏向ローラでエレベータベルトを案内するのに必要な、偏向ローラの横フランジとエレベータベルトの横境界との間の案内力はこのように縮小する。エレベータベルトが偏向する間の側方の摩擦負荷、したがってエレベータ装置の必要な駆動力がこのように縮小される。同時にエレベータベルトと偏向ローラの耐用年数が増大される。
【００４２】
図３は、本発明の実施形態によるエレベータベルト１２を備えた、エレベータ昇降路１に設置されたエレベータシステムの断面を概略的に示す。エレベータシステムは、エレベータ昇降路１に固定された、駆動輪４．１を備えた駆動部２と、ケージ案内レール５で案内され、ケージフロア６の下に取り付けられてケージ支持ローラとして働く偏向ローラ４．２を備えたエレベータケージ３と、釣合錘案内レール７で案内され、釣合錘ローラとして働くさらなる偏向ローラ４．３を備えた釣合錘８、ならびに上述の本発明の第１または第２実施形態による、エレベータケージと釣合錘を支持し、そこに駆動ユニット２の駆動輪４．１から駆動力を伝えるエレベータベルト１２とを備える。
【００４３】
エレベータベルト１２は、その端部で駆動輪４．１の下の第１ベルト固定点１０に締め付けられる。この点からエレベータベルト１２は下向きに、釣合錘支持ローラとして働く偏向ローラ４．３に延び、このまわりを回り、ここから出て駆動輪４．１へと延び、このまわりを回り、釣合錘側のケージの壁に沿って下向きに走行し、エレベータケージの両側で、エレベータケージ３の下に取り付けられてケージ支持ローラとして働くそれぞれの偏向ローラ４．２の回りをそれぞれ９０°分回り、釣合錘８から離れたケージ壁に沿って上向きに、第２ベルト固定点１１へと走行する。
【００４４】
駆動輪４．１の平面は、釣合錘側のケージ壁に対して直角に配置することができ、その垂直の投影はエレベータケージ３の垂直の投影の外に位置することができる。したがって駆動輪４．１は小さな直径を有して、左側のケージの壁と、それに対向するエレベータ昇降路１の壁との間隔を可能な限り小さくできるようにすることが好ましい。さらに、駆動輪の小さな直径は、比較的駆動トルクの小さなギアのない駆動モータを駆動ユニット２として使用することを可能にする。
【００４５】
釣合錘支持ローラとして働く駆動輪４．１および偏向ローラ４．３はその周囲に、駆動ベルト１２の楔状リブ１５．１と実質的に相補的に形成された楔状溝が設けられる。エレベータベルト１２がベルト輪４．１または４．３のうちの一方のまわりで回るところで、その接触側面に配置された楔状リブ１５．１はベルト輪の対応する楔状溝にはまり、それによってこれらのベルト輪でのエレベータベルトの優れた案内が保証される。さらに牽引能力が、駆動輪として働くベルト輪４．１の楔状溝とベルト１２の楔状リブ１５．１との間に生じる楔状効果によって高められる。
【００４６】
図３に示すエレベータシステムでは、エレベータケージ３の下の、ケージ支持ローラとして働く偏向ローラ４．２のまわりでの回しは、エレベータベルトの楔状リブを有する接触側面が、偏向ローラ４．２の周囲から離れたところにあるように起こる。この場合、エレベータベルトはその背面層で偏向ローラ４．２に当接するが、この背面層は、既に述べたように偏向ローラ４．２に対して小さな摩擦係数しか有さない。この区域のエレベータベルトの側方への案内を保証するために、側方への案内としてエレベータベルト１２の楔状溝と協働する楔状溝が設けられた追加の２つの案内ローラ４．４がケージフロア６に取り付けられる。
【００４７】
上述の実施形態のここに示さない修正形態では、エレベータベルト１２の裏側面と、ケージ支持ローラとして働く偏向ローラ４．２とも相補的な楔状リブを有する。したがって、エレベータケージ３の下にあるケージ支持ローラのまわりをベルトがまわるとき、ケージ支持ローラとして働く偏向ローラ４．２でエレベータベルト１２に対する優れた横方向の案内がもたらされるが、これはエレベータベルトが、ケージ支持ローラとして働く偏向ローラ４．２に面するその側面にも楔状リブを有するからである。前述の図３に示し、説明した案内ローラ４．４は本実施形態では不必要である。
【図面の簡単な説明】
【００４８】
【図１】本発明の第１実施形態によるエレベータベルトの横断面図を示す。
【図２】本発明の第２実施形態によるエレベータベルトの横断面図を示す。
【図３】本発明の実施形態によるエレベータベルトを備えたエレベータ装置の、エレベータケージの正面に平行な断面図を示す。
【符号の説明】
【００４９】
１  エレベータ昇降路
２  駆動部
３  エレベータケージ
４．１  駆動輪
４．２、４．３  偏向ローラ
４．４  案内ローラ
５  ケージ案内レール
６  エレベータフロア
７  釣合錘案内レール
８  釣合錘
１０、１１  固定点
１２  エレベータベルト
１３  背面層
１４  張力担持体構成物
１４．１、１４．２  張力担持体
１５  ベルト体
１５．１  楔状リブ
１６  外形体
１６．１  楕円形外形体
１６．２  四角形外形体
１６．３  Ｔ字形状
１８  溝基部
【図１】
2008044793.tif 000003
【図２】
2008044793.tif 000004
【図３】
2008044793.tif 000005
【外国語明細書】
2008044793.tif 000006
2008044793.tif 000007
2008044793.tif 000008
2008044793.tif 000009
2008044793.tif 000010
2008044793.tif 000011
2008044793.tif 000012
2008044793.tif 000013
2008044793.tif 000014
2008044793.tif 000015
2008044793.tif 000016
2008044793.tif 000017
2008044793.tif 000018
2008044793.tif 000019
2008044793.tif 000020
2008044793.tif 000021
2008044793.tif 000022